(57)【要約】      （修正有）【課題】ヒンジ構造を採用することなくスナップ錠を使用して堅固な蓋体装着を示現すると共に、蓋体２の装着位置を一定にする円形容器の蓋体装着構造を提供する。【解決手段】円筒形状の容器体１と、容器体１の上部外周面１１を周面板部２１で覆うようにして被冠装着する蓋体２とで構成され、容器体１の上部外周面１１に係止突部３１を突設すると共に、蓋体２に係止突部３１に係止するＬ状鉤溝３２を設けた鉤溝連結部３と、容器体１と蓋体２のいずれか一方にスナップ錠本体を設け、他方にスナップ錠の掛止受部を設けたスナップ錠連結部とを備える。【選択図】図１
0003210633.tif 000002
【実用新案登録請求の範囲】
【請求項１】
円筒形状の容器体と、容器体の上部外周面を周面板部で覆うようにして被冠装着する蓋体とで構成され、容器体の上部外周面に係止突部を突設すると共に、蓋体に前記係止突部に係止するＬ状鉤溝を設けた鉤溝連結部と、容器体と蓋体のいずれか一方にスナップ錠本体を設け、他方にスナップ錠の掛止受部を設けたスナップ錠連結部とを備えたことを特徴とする円形容器の蓋体装着構造。
【請求項２】
スナップ錠連結部が、容器体にスナップ錠本体を設け、蓋体に掛止受部を設けた構成としてなる請求項１記載の円形容器の蓋体装着構造。
【請求項３】
鉤溝連結部とスナップ錠連結部を、外周面反対位置の各１カ所に形成し、蓋体上面の前記両連結部と直交する方向に、持ち手を設けてなる請求項１又は２記載の円形容器の蓋体装着構造。
【請求項４】
容器体に蓋体の持ち手と平行に起立倒伏自在として釣り手を設けてなる請求項３記載の円形容器の蓋体装着構造。
【考案の詳細な説明】
【技術分野】
【０００１】
本考案は、円形容器の蓋体装着構造に関するものである。
【背景技術】
【０００２】
蓋体の容器体への被冠装着手段としては種々の構造が知られているが、簡易な手段として、容器体に被冠装着した蓋体と容器体の間にスナップ錠（パッチン錠）を介設する手段（特許文献１）、容器体に被冠装着した蓋体の回転で、係止突部への脱着を行う手段（特許文献２）が知られている。
【先行技術文献】
【特許文献】
【０００３】
【特許文献１】特開２０００−２２３８５４号公報図２。
【特許文献２】特開２００５−１５０５７号公報図８。
【考案の概要】
【考案が解決しようとする課題】
【０００４】
蓋体と容器体が分離している円形容器においては、蓋体の回動で係止・係止解除を行う装着手段が最も簡易な構造であるが、蓋体が動いてしまうと装着が外れる虞がある。またスナップ錠を採用する場合には、蓋体が外れやすいという問題は解決するが、円形容器は蓋体が任意の位置での被冠が可能であるので、スナップ錠本体とスナップ錠の掛止受部の位置が一致しなければならないので、通常スナップ錠は蓋体と容器体がヒンジ構造で連結した容器に採用されている。
【０００５】
そこで本考案は、蓋体と容器体とをヒンジ構造とすることなくスナップ錠を採用した円形容器の蓋体装着構造を提案したものである。
【課題を解決するための手段】
【０００６】
本考案の請求項１記載の円形容器の蓋体装着構造は、円筒形状の容器体と、容器体の上部外周面を周面板部で覆うようにして被冠装着する蓋体とで構成され、容器体の上部外周面に係止突部を突設すると共に、蓋体に前記係止突部に係止するＬ状鉤溝を設けた鉤溝連結部と、容器体と蓋体のいずれか一方にスナップ錠本体を設け、他方にスナップ錠の掛止受部を設けたスナップ錠連結部とを備えたことを特徴とするものである。
【０００７】
而して蓋体を容器体に被冠する際に、蓋体の位置合わせを行って係止突部をＬ状鉤溝内に侵入させた後に回動して鉤溝連結部での連結を行う。前記の鉤溝連結部の連結によって蓋体の容器体への嵌合位置が定まるので、当該位置でスナップ錠連結部の連結を行い、スナップ連結され、蓋体の装着が確りとなされる。
【０００８】
本考案の請求項２記載の円形容器の蓋体装着構造は、スナップ錠連結部が、容器体にスナップ錠本体を設け、蓋体に掛止受部を設けた構成としてなるもので、蓋体にＬ状鉤溝と掛止受部を設けることになり、簡易形状の蓋体とすることができる。
【０００９】
本考案の請求項３記載の円形容器の蓋体装着構造は、鉤溝連結部とスナップ錠連結部を、外周面反対位置の各１カ所に形成し、蓋体上面の前記両連結部と直交する方向に、持ち手を設けてなるもので、持ち手は蓋体の回動操作の利便性に貢献し、且つ蓋体の装着位置は容器体に対して一定の位置となるので、模様や商標の主表示側となる蓋体及び容器体の前面を定めることができると同時に、蓋体と容器体の表示形態が一致した状態で蓋体装着がなされる。
【００１０】
本考案の請求項４記載の円形容器の蓋体装着構造は、容器体に蓋体の持ち手と平行に起立倒伏自在として釣り手を設けてなるもので、釣り手も主表示と対応することになる。
【考案の効果】
【００１１】
本考案の構成は上記のとおりで、蓋体装着の位置決めが煩瑣な蓋体を被冠装着するタイプの円形容器であっても、スナップ連結を容易に行えるようにし、蓋体の堅固の装着を実現したものである。
【図面の簡単な説明】
【００１２】
【図１】本考案の実施形態の全体斜視図（背面視）。
【図２】同図（前面視）。
【図３】同図（蓋体装着状態）。
【図４】同図（模様表示容器）。
【考案を実施するための形態】
【００１３】
次に本考案の実施形態について説明する。実施形態に示した円形容器は、容器体１と蓋体２で構成され、容器体１と蓋体２に渡って設けられた鉤溝連結部３とスナップ錠連結部４とを備えたものである。
【００１４】
容器体１は、円筒状の容器であって、蓋体２は容器体１の上部外周面１１を覆う周面板部２１を備えた偏平に形成したものである。
【００１５】
鉤溝連結部３は、容器体１の上部外周面１１に突設した係止突部３１と、蓋体２の周面板部２１に設けた下方開口のＬ状鉤溝３２で構成される。
【００１６】
スナップ錠連結部４は、スナップ錠本体４１と掛止受部４２からなり、スナップ錠本体４１は、容器体１の上部外周面１１より下方で、係止突部３１の反対側（１８０度の位置）に設けたもので、適宜な掛止部を備えているものである。また掛止受部４２は、係止突部３１がＬ状鉤溝３２の奥方に達した位置で、スナップ錠本体４１の上方に該当する箇所に設けるもので、掛止部と対応する形状とするものである。
【００１７】
また蓋体２の上面には、両連結部３，４と直交する方向に、持ち手２２を設けてなり、容器体１には、持ち手２２と平行に起立倒伏自在とした釣り手１２を設けてなる。
【００１８】
而して蓋体２の容器体１への装着は、蓋体２を容器体１に被冠する際に、蓋体２の位置合わせを行って係止突部３１をＬ状鉤溝３２内に侵入させた後に、蓋体２を回動して係止突部３１をＬ状鉤溝３２の奥方に位置させる。これによって鉤溝連結部３での連結がなされる。
【００１９】
次に前記状態でスナップ錠本体４１の掛止部を掛止受部４２に掛け止めしてスナップ錠の連結を行う。
【００２０】
従って蓋体２は鉤溝連結部３とスナップ錠連結部４による装着となり、堅固に固定される。更に容器体１と蓋体２は、円形容器に関わらず装着位置が一定となるので、例えば図４に例示するように容器体１と蓋体２の各表示模様１３，２３を連続模様としても、蓋体装着時には、当該表示模様１３，２３が必ず連続模様となる。
【符号の説明】
【００２１】
１      容器体
１１    上部外周面
１２    釣り手
１３    表示模様
２      蓋体
２１    周面板部
２２    持ち手
２３    表示模様
３      鉤溝連結部
３１    係止突部
３２    Ｌ状鉤溝
４      スナップ錠連結部
４１    スナップ錠本体
４２    掛止受部
【図１】
0003210633.tif 000003
【図２】
0003210633.tif 000004
【図３】
0003210633.tif 000005
【図４】
0003210633.tif 000006